(57)【要約】【課題】椅子本来の機能や快適性を損なわず、ひとつの操作で使用及び収納することができ、意匠性にも優れたハンガー及び椅子を提供する。【解決手段】軸線方向に対して垂直方向となる上下方向に移動する軸部材３０と、軸部材４０に回動可能に設けられ衣服が掛けられる一対のアーム部材１８と、軸部材３０が上方に移動したときにアーム部材１８をそれぞれ軸部材３０の軸線回りに回動させてアーム部材１８を相互に開き軸部材３０が下方に移動したときにアーム部材１８をそれぞれ軸部材３０の軸線回りに回動させて相互に閉じる開閉手段４０、４２Ａ、４２Ｂと、を有する構成とした。【選択図】      図２
2004329346.tif 000002
【特許請求の範囲】
【請求項１】
軸線方向に対して垂直方向となる上下方向に移動する軸部材と、前記軸部材に回動可能に設けられ衣服が掛けられる一対のアーム部材と、前記軸部材が上方に移動したときに前記アーム部材をそれぞれ前記軸部材の軸線回りに回動させて前記アーム部材を相互に開き前記軸部材が下方に移動したときに前記アーム部材をそれぞれ前記軸部材の軸線回りに回動させて相互に閉じる開閉手段と、を有することを特徴とするハンガー。
【請求項２】
軸線方向に対して垂直方向となる上下方向に移動する第１軸部材と、前記第１軸部材と共に移動する第２軸部材に回動可能に設けられ衣服が掛けられる一対のアーム部材と、前記第１軸部材が上方に移動したときに前記アーム部材をそれぞれ前記第２軸部材の軸線回りに回動させて前記アーム部材を相互に開き前記第１軸部材が下方に移動したときに前記アーム部材をそれぞれ前記第２軸部材の軸線回りに回動させて相互に閉じる開閉手段と、を有することを特徴とするハンガー。
【請求項３】
前記軸部材又は前記第１軸部材の上下方向の移動を案内するガイド手段と、相互に開いた前記アーム部材をそれぞれ下方から支持する支持手段と、を有することを特徴とする請求項１又は２に記載のハンガー。
【請求項４】
前記アーム部材を椅子の背もたれに取り付ける取付部材を有し、前記ガイド手段は、前記軸部材の端部又は前記第１軸部材の端部が挿入され前記取付部材に形成された上下方向に延びる長孔であることを特徴とする請求項３に記載のハンガー。
【請求項５】
前記軸部材又は前記第１軸部材は、上方に位置したときに前記長孔の上方側にある上方側端部と接触し、前記下方に位置したときに前記長孔の下方側にある下方側端部と接触することを特徴とする請求項４に記載のハンガー。
【請求項６】
前記軸部材又は前記第１軸部材は、相互に開いた前記アーム部材が前記支持手段により下方から支持されたときに前記長孔の前記上方側端部と接触することを特徴とする請求項５に記載のハンガー。
【請求項７】
取付部材は、前記軸部材又は前記第１軸部材の下方向への移動により前記アーム部材を収納する箱状の収納部材であり、
前記アーム部材は、前記軸部材又は前記第１軸部材の上方向への移動により前記収納部材の上方側に設けられた開口部から外部に突出することを特徴とする請求項４乃至６のいずれか１項に記載のハンガー。
【請求項８】
前記支持手段は、前記収納部材の前記開口部の開口縁であることを特徴とする請求項７に記載のハンガー。
【請求項９】
前記開閉手段は、前記アーム部材が相互に開く方向に前記アーム部材を付勢する付勢手段と、前記軸部材又は前記第１軸部材の下方向への移動に伴いに前記アーム部材を相互に閉じていく閉止手段と、で構成されていることを特徴とする請求項１乃至８のいずれか１項に記載のハンガー。
【請求項１０】
前記アーム部材は、各アーム部材が相互に閉じたときに各アーム部材の間に隙間が生じるように湾曲していることを特徴とする請求項１乃至９のいずれか１項に記載のハンガー。
【請求項１１】
前記アーム部材の先端には、衣服との接触面を大きくする接触部が設けられていることを特徴とする請求項１乃至１０のいずれか１項に記載のハンガー。
【請求項１２】
前記支持手段の前記アーム部材との接触部位又は前記接触部の前記衣服との接触部位には、ゴムが設けられていることを特徴とする請求項３乃至１１のいずれか１項に記載のハンガー。
【請求項１３】
前記収納部材には、前記開口部から前記収納部材の内部に異物が進入することを防止する異物進入防止部材が設けられていることを特徴とする請求項７乃至１２のいずれか１項に記載のハンガー。
【請求項１４】
前記軸部材又は前記第１軸部材には、取手部が取り付けられていることを特徴とする請求項１乃至１３のいずれか１項に記載のハンガー。
【請求項１５】
前記取付部材は、樹脂で構成されていることを特徴とする請求項４乃至１４のいずれか１項に記載のハンガー。
【請求項１６】
前記付勢手段は、コイルばねであることを特徴とする請求項９乃至１５のいずれか１項に記載のハンガー。
【請求項１７】
請求項１乃至１６のいずれか１項に記載のハンガーを背もたれに取り付けたことを特徴とする椅子。
【発明の詳細な説明】
【０００１】
【発明の属する技術分野】
本発明は、オフィスなどで好適に使用され、上着などを掛け得るハンガー及び椅子に関する。
【０００２】
【従来の技術】
従来から上着を掛けるハンガー部を備えた椅子はよく知られている。例えば、図７に示す椅子１００は、背もたれ部１０２と座部１０４とを備えており、さらに背もたれ部１０２の裏面側にはハンガー部１０６が取り付けられている。このハンガー部１０６は、上着の肩部を支持する１対の肩支持部１０８と、この肩支持部１０８が取り付けられ第１の軸１１０を備えた支持部１１２と、この支持部１１２に取り付けられた一対の回転脚１１６と、で構成されている。
また、背もたれ部１０２の裏面側には固定部１１４が取り付けられておりこの固定部１１４には第２の軸（図示省略）が設けられ、この第２の軸に前記回転脚１１６が軸回りに回動可能となるように取り付けられている。さらに固定部１１４には回転脚１１６の回動を可能にするスリット１１８が形成されており、回転脚１１６の一部がこのスリット１１８の内部を移動することにより回転脚１１６が軸回りに回動できる構成になっている。
【０００３】
この椅子１００では、上着を掛けないときには、ハンガー部１０６は回転脚１１６が第２の軸の軸回りに回転するとともにその一部がスリット１１８の内部を移動し、下側に垂れ下がった状態となっている（図７二点鎖線線参照）。これにより、不使用時にハンガー部１０６ができるだけ邪魔にならないようにしている。
一方、ハンガー部１０６を使用するときには、回転脚１１６が第２の軸の軸回りに回転させられるとともに回転脚１１６の一部がスリット１１８の内部を移動することにより、ハンガー部１０６が立ち上げられる。このとき、肩支持部１０８が第１の軸回りに回動し略１８０度に開いた状態で肩支持部１０８に上着が掛けられる。
【０００４】
【特許文献１】
実開昭４９−１４５８３４
【特許文献２】
特開平８−２４３００５
【発明が解決しようとする課題】
しかしながら、上記説明した椅子では、ハンガー部を背もたれ部に取り付けているだけであり、見た目にもすぐにハンガー部だと判り、意匠性の点で問題があった。特に、ハンガー部の不使用時には下方に垂れ下がった状態になっているため、見た目も良くなく、意匠性が問題となっていた。
また、ハンガー部が使用時と不使用時とで大きく移動する構成になっているため、その構成上ハンガー部を小型化できず、このハンガー部を背もたれ部に椅子に取り付けた場合に、椅子本来の機能や快適性を十分に生かすことができなかった。
【０００５】
そこで、本発明は、上記事情に鑑みて成されたものであり、椅子本来の機能や快適性を損なわず、一の操作で使用及び収納することができ、意匠性にも優れたハンガー及び椅子を提供することを目的とする。
【０００６】
【課題を解決するための手段】
本発明は、上記課題を解決するため、以下の手段を採用する。
請求項１に記載の発明は、軸線方向に対して垂直方向となる上下方向に移動する軸部材と、前記軸部材に回動可能に設けられ衣服が掛けられる一対のアーム部材と、前記軸部材が上方に移動したときに前記アーム部材をそれぞれ前記軸部材の軸線回りに回動させて前記アーム部材を相互に開き前記軸部材が下方に移動したときに前記アーム部材をそれぞれ前記軸部材の軸線回りに回動させて相互に閉じる開閉手段と、を有することを特徴とする。
【０００７】
請求項１に記載の発明によれば、軸部材が上方向に移動したときに開閉手段により一対のアーム部材がそれぞれ軸部材の軸線回りを回動して相互に開く。この相互に開いた各アーム部材に衣服が掛けられることによりハンガーとして機能する。一方、軸部材が下方向に移動したときに開閉手段により各アーム部材がそれぞれ軸部材の軸線回りを回動して相互に閉じられる。これにより、アーム部材が収納される。
以上のように、本発明によれば、軸部材の上下移動という１つの操作によりハンガーの使用状態及び収納状態を実現することができる。また、上下方向に移動する軸部材に直接アーム部材を設けることにより、部品点数を低減でき、製造コストも低減するこができる。
【０００８】
請求項２に記載の発明は、軸線方向に対して垂直方向となる上下方向に移動する第１軸部材と、前記第１軸部材と共に移動する第２軸部材に回動可能に設けられ衣服が掛けられる一対のアーム部材と、前記第１軸部材が上方に移動したときに前記アーム部材をそれぞれ前記第２軸部材の軸線回りに回動させて前記アーム部材を相互に開き前記第１軸部材が下方に移動したときに前記アーム部材をそれぞれ前記第２軸部材の軸線回りに回動させて相互に閉じる開閉手段と、を有することを特徴とする。
【０００９】
請求項２に記載の発明によれば、第１軸部材が上方向に移動したときに開閉手段により一対のアーム部材がそれぞれ第２軸部材の軸線回りを回動して相互に開く。この相互に開いた各アーム部材に衣服が掛けられることによりハンガーとして機能する。一方、第１軸部材が下方向に移動したときに開閉手段により各アーム部材がそれぞれ第２軸部材の軸線回りを回動して相互に閉じられる。これにより、アーム部材が収納される。
以上のように、本発明によれば、第１軸部材の上下移動という１つの操作によりハンガーの使用状態及び収納状態を実現することができる。
【００１０】
請求項３に記載の発明は、請求項１又は２に記載のハンガーにおいて、前記軸部材又は前記第１軸部材の上下方向の移動を案内するガイド手段と、相互に開いた前記アーム部材をそれぞれ下方から支持する支持手段と、を有することを特徴とする。
【００１１】
請求項３の記載の発明によれば、軸部材又は第１軸部材はガイド手段により上下方向の移動が案内されるため、軸部材又は第１軸部材を確実に移動させることができる。このため、ハンガーとしての機能を確実に実現させることができる。また、ガイド手段により上下方向の移動が案内されることにより、軸部材又は第１軸部材の操作性を向上させることができる。
一方、相互に開いたアーム部材は支持手段によりそれぞれ下方から支持されるため、アーム部材に衣服が掛けられた場合でもその状態を維持することができる。特に、皮製のジャンパーやコートなどの比較的重い衣服を掛けた場合でもアーム部材により確実に衣服を支持することができる。
【００１２】
請求項４に記載の発明は、請求項３に記載のハンガーにおいて、前記アーム部材を椅子の背もたれに取り付ける取付部材を有し、前記ガイド手段は、前記軸部材の端部又は前記第１軸部材の端部が挿入され前記取付部材に形成された上下方向に延びる長孔であることを特徴とする。
【００１３】
請求項４に記載の発明によれば、ハンガーは椅子の背もたれに取り付けられるものであり、ガイド手段はその取付部材に形成された上下方向に延びる長孔とすることにより低コストでガイド手段を設けることができる。また、長孔とすることによりハンガーが大型化することを防止できる。
【００１４】
請求項５に記載の発明は、請求項４に記載のハンガーにおいて、前記軸部材又は前記第１軸部材は、上方に位置したときに前記長孔の上方側にある上方側端部と接触し、前記下方に位置したときに前記長孔の下方側にある下方側端部と接触することを特徴とする。
【００１５】
請求項５に記載の発明によれば、軸部材又は第１軸部材は、上方に位置したときに長孔の上方側にある上方側端部と接触し、下方に位置したときに長孔の下方側にある下方側端部と接触するようにしたことにより、軸部材又は第１軸部材の移動範囲を規制することができる。
【００１６】
請求項６に記載の発明は、請求項５に記載のハンガーにおいて、前記軸部材又は前記第１軸部材は、相互に開いた前記アーム部材が前記支持手段により下方から支持されたときに前記長孔の前記上方側端部と接触することを特徴とする。
【００１７】
請求項６に記載の発明によれば、軸部材又は第１軸部材は、上方に位置したときに長孔の上方側にある上方側端部と接触する。このとき、開いたアーム部材はそれぞれ支持手段により下方から支持されており、かつ軸部材又は第１軸部材が長孔の上方側端部と接触している状態となる。この状態がハンガーの使用状態となりアーム部材に衣服が掛けられる。
ここで、アーム部材に衣服が掛けられると、被服の重量によりアーム部材がさらに開こうとするが、このとき支持手段がてこになり、てこの原理により軸部材又は第１軸部材にはアーム部材から押圧力が作用し、軸部材又は第１軸部材は長孔の上方側に押し付けられる。この結果、軸部材又は第１軸部材を確実に固定できるため、アーム部材により衣服を確実に支持することができる。
特に、皮製のジャンパーやコートなどの比較的重量の大きい衣服をアーム部材に掛けた場合には、アーム部材により支持がさらに強固となる。
【００１８】
請求項７に記載の発明は、請求項４乃至６のいずれか１項に記載のハンガーにおいて、前記軸部材又は前記第１軸部材の下方向への移動により前記アーム部材を収納する箱状の収納部材であり、前記アーム部材は、前記軸部材又は前記第１軸部材の上方向への移動により前記収納部材の上方側に設けられた開口部から外部に突出することを特徴とする。
【００１９】
請求項７に記載の発明によれば、取付部材を箱状の収納部材とすることにより、軸部材又は第１軸部材が下方向へ移動したときにアーム部材が収納される。これにより、ハンガーの収納状態においてはアーム部材が外部から見えることがなく、ハンガーの不使用時にアーム部材が外部に露出している場合と比較して意匠性を向上させることができる。また、ハンガーの不使用時においてアーム部材を収納部材に収納させることにより、アーム部材が椅子の機能や快適性を損なう原因となることもない。
一方、ハンガー使用時において、軸部材又は第１軸部材を上方向に移動させると、アーム部材が収納部材の上方側に設けられた開口部から外部に突出することにより、アーム部材を軸部材又は第２軸部材の軸線回りに回動させることができるため、ハンガーとして機能させることができる。
以上のように、本発明のハンガーによれば、軸部材又は第１軸部材の上下移動により容易にハンガーの使用状態と収納状態とを切り替えることができる。
【００２０】
請求項８に記載の発明は、請求項７に記載のハンガーにおいて、前記支持手段は、前記収納部材の前記開口部の開口縁であることを特徴とする。
【００２１】
請求項８に記載の発明によれば、支持手段を収納部材の開口部の開口縁とすることにより、別途部材を設ける必要がなく、製造コストも低減することができる。
【００２２】
請求項９に記載の発明は、請求項１乃至８のいずれか１項に記載のハンガーにおいて、前記開閉手段は、前記アーム部材が相互に開く方向に前記アーム部材を付勢する付勢手段と、前記軸部材又は前記第１軸部材の下方向への移動に伴いに前記アーム部材を相互に閉じていく閉止手段と、で構成されていることを特徴とする。
【００２３】
請求項９に記載の発明によれば、アーム部材が付勢手段の付勢力により軸部材又は第２軸部材の軸線回りに回動させられ相互に開く。一方、軸部材又は第１軸部材の下方向への移動に伴い閉止手段によりアーム部材が相互に閉じられる。本発明では、開閉手段を、付勢手段と閉止手段という簡易な構成により、アーム部材を容易に開閉させることができる。
【００２４】
請求項１０に記載の発明は、請求項１乃至９のいずれか１項に記載のハンガーにおいて、前記アーム部材は、各アーム部材が相互に閉じたときに各アーム部材の間に隙間が生じるように湾曲していることを特徴とする。
【００２５】
請求項１０に記載の発明によれば、各アーム部材はそれぞれ湾曲しているため、比較的重量の大きな衣服をアーム部材に掛けた場合でもアーム部材の変形の程度が目立ちにくい。また、各アーム部材を湾曲させることにより、アーム部材自体の強度を向上させることができる。
【００２６】
請求項１１に記載の発明は、請求項１乃至１０のいずれか１項に記載のハンガーにおいて、前記アーム部材の先端には、衣服との接触面を大きくする接触部が設けられていることを特徴とする。
【００２７】
請求項１１に記載の発明によれば、各アーム部材の先端には接触部が設けられているため、衣服との接触面を大きくすることができる。これにより、アーム部材に衣服を長時間掛けても衣服に皺が付いてしまうことを防止できる。
【００２８】
請求項１２に記載の発明は、請求項３乃至１１のいずれか１項に記載のハンガーにおいて、前記支持手段の前記アーム部材との接触部位又は前記接触部の前記衣服との接触部位には、ゴムが設けられていることを特徴とする。
【００２９】
請求項１２に記載の発明によれば、支持部材のアーム部材との接触部位にはゴムが取り付けられているため、ゴムとアーム部材と間に発生する摩擦力を大きくすることができ、比較的軽い衣服をアーム部材に掛ける場合でもアーム部材が支持手段から滑り落ちることを防止できる。また、アーム部材がゴムを介して支持手段に支持されているため、アーム部材の表面に傷が付くことを防止できる。
一方、接触部の衣服との接触部位にはゴムが取り付けられているため、ゴムと衣服との間に発生する摩擦力が大きくなり、アーム部材に掛けた衣服が接触部からずれ落ちることがない。
【００３０】
請求項１３に記載の発明は、請求項７乃至１２のいずれか１項に記載のハンガーにおいて、前記収納部材には、前記開口部から前記収納部材の内部に異物が進入することを防止する異物進入防止部材が設けられていることを特徴とする。
【００３１】
請求項１３に記載の発明によれば、収納部材には異物進入防止部材が設けられているため、開口部から収納部材の内部への異物（ゴミや埃）の進入を防止することができる。これにより、収納部材の内部が汚れることを極力防止することができ、清潔性を保つことができる。
【００３２】
請求項１４に記載の発明は、請求項１乃至１３のいずれか１項に記載のハンガーにおいて、前記軸部材又は前記第１軸部材には、取手部が取り付けられていることを特徴とする。
【００３３】
請求項１４に記載の発明によれば、軸部材又は第１軸部材には取手部が取り付けられているため、この取手部をつかむことにより軸部材又は第１軸部材を上下に移動させ易くすることができる。
【００３４】
請求項１５に記載の発明は、請求項４乃至１４のいずれか１項に記載のハンガーにおいて、前記取付部材は、樹脂で構成されていることを特徴とする。
【００３５】
請求項１５に記載の発明によれば、取付部材を樹脂で構成することにより、ハンガーを軽量とすることができる。軽量化したハンガーを椅子の背もたれに取り付けることにより、椅子の機能やその椅子に座ったときの快適性の低下を防止することができる。
【００３６】
請求項１６に記載の発明は、請求項９乃至１５のいずれか１項に記載のハンガーにおいて、前記付勢手段は、コイルばねであることを特徴とする。
【００３７】
請求項１６に記載の発明によれば、付勢手段を既存の部品であるコイルばねとすることにより、低コストでハンガーを製造することができるとともに、開閉機構を簡易にすることができるため組立工数を低減することができる。
【００３８】
請求項１７に記載の発明は、請求項１乃至１６のいずれか１項に記載のハンガーを背もたれに取り付けたことを特徴とする。
【００３９】
請求項１７に記載の発明によれば、請求項１乃至１６のいずれか１項に記載のハンガーを背もたれに取り付けることにより、軸部材又は第１軸部材を上下方向に移動するだけでワンタッチで容易にアーム部材を使用状態又は収納状態に切り替えることができ、着座者が上着等をかけたいと思ったときに直ぐにハンガーを使用することができる。
【００４０】
【発明の実施の形態】
次に、本発明の実施形態のハンガー及びこれを備えた椅子について、図面を参照して詳細に説明する。
【００４１】
図１乃至図４に示すように、本実施形態のハンガー１０は、箱状の収納ケース１０を備えている。この収納ケース１０の一方の側面には、この収納ケース１０の長手方向に延びた長孔１４が形成されている。また、収納ケース１２の上方側端部は湾曲状に形成されており、この上方側端面６２には、収納ケース１２の幅方向にかつ端面全体に亘ってスリット１６が形成されている。さらに、上方側端面６２に形成されたスリット１６のスリット端部１６Ａ、１６Ｂにより相互に開いた右側アーム部材１８Ａのハンガー脚部２０Ａと左側アーム部材１８Ｂのハンガー脚部２０Ｂを下方から支持するように構成されている。なお、収納ケース１２は、樹脂で構成されている。
【００４２】
また、この収納ケース１２の内部には、一対のアーム部材１８、１８が収納されている。この一対のアーム部材１８、１８のうち右側に位置するアーム部材（以下、適宜「右側アーム部材１８Ａ」と称する。）は、下方側端部に位置する板状部２２Ａと、収納ケース１２の外部に位置し上着を下方から支持する円柱状の接触部２４Ａと、板状部２２Ａと接触部２４Ａとの間に位置する断面円形状のハンガー脚部２０Ａと、で構成されている。
【００４３】
板状部２２Ａには、円孔２６Ａが形成されており、さらに円柱状の突起部２８Ａが形成されている。また、ハンガー脚部２０Ａはその中央部が外側（収納ケース１２の幅方向外側で図２中矢印Ａ方向側）に突出するように湾曲して形成されている。さらに、接触部２４Ａは、右側アーム部材１８Ａの収納ケース１２への収納時に収納ケース１２の外部に位置するように形成されており、上着と接触する接触面の面積が大きくなるようにその厚み（図３中矢印Ｃ方向の厚さ）が設定されている。
【００４４】
一方、一対のアーム部材１８、１８のうち左側に位置するアーム部材（以下、適宜「左側アーム部材１８Ｂ」と称する。）についても、右側アーム部材１８Ａと略同様の構成であり、下方側端部に位置する板状部２２Ｂと、収納ケース１２の外部に位置し上着を下方から支持する円柱状の接触部２４Ｂと、板状部２２Ｂと接触部２４Ｂとの間に位置する断面円形状のハンガー脚部２０Ｂと、で構成されている。
【００４５】
板状部２２Ｂには、円孔２６Ｂが形成されており、さらに円柱状の突起部２８Ｂが形成されている。なお、この突起部２８Ｂも、右側アーム部材１８Ａの板状部２２Ａに形成された突起部２８Ａと同じ方向に突出するように形成されている。また、ハンガー脚部２０Ｂはその中央部が外側（収納ケース１２の幅方向外側で図２中矢印Ｂ方向側）に突出するように湾曲して形成されている。さらに、接触部２４Ｂは、左側アーム部材１８Ｂの収納ケース１２への収納時に収納ケース１２の外部に位置するように形成されており、上着と接触する接触面の面積が大きくなるようにその厚み（図３中矢印Ｃ方向の厚さ）が設定されている。
【００４６】
また、右側アーム部材１８Ａの板状部２２Ａに形成された円孔２６Ａと左側アーム部材１８Ｂの板状部２２Ｂに形成された円孔２６Ｂとは、収納ケース１２の厚み方向（図３中矢印Ｃ方向）に重ねられ、これらの円孔２６Ａ、２６Ｂには第１の軸部材３０が貫通されている。この第１の軸部材３０の一方の端部は収納ケース１２の内部から長孔１４を貫通して収納ケース１２の外部に位置している。この第１の軸部材３０の一方の端部には取手部材３２が装着されている。また、右側アーム部材１８Ａと左側アーム部材１８Ｂは第１の軸部材３０の軸線回りに回動可能になっている。
【００４７】
また、右側アーム部材１８Ａの板状部２２Ａと左側アーム部材１８Ｂの板状部２２Ｂとの間に位置する第１の軸部材３０の外周には相互の接触を阻止するための第１のスペーサ３４が装着されている。さらに、左側アーム部材１８Ｂと収納ケース１２の内側面（長孔１４が形成されている側の側面）１２Ｅとの間に位置する第１の軸部材３０の外周には第２のスペーサ３６が装着されており、また長孔１４を貫通した第１の軸部材３０の端部には円盤状の拡径板３８が装着されており、第２のスペーサ３６と拡径板３８とで収納ケース１２の内側面１２Ｅを挟むように構成されている。なお、この拡径板３８は、取手部材３２と収納ケース１２の内側面１２Ｅとで挟まれた構成となっている。
【００４８】
また、右側アーム部材１８Ａと収納ケース１２の内側面（内側面１２Ｅと反対側の内側面）１２Ｆとの間に位置する第１の軸部材３０の外周には巻きばね４０が装着されている。この巻きばね４０の一方の端部は右側アーム部材１８Ａの突起部２８Ａに掛けられており、他方の端部は左側アーム部材１８Ｂの突起部２８Ｂに掛けられている。巻きばね４０により右側アーム部材１８Ａと左側アーム部材１８Ｂには両者が開く方向に付勢力が負荷されている。
【００４９】
また、収納ケース１２の右側内側面１２Ｘには、右側アーム部材１８Ａのハンガー脚部２０Ａに接触する右側回転阻止部材４２Ａが取り付けられている。この右側回転阻止部材４２Ａが収納ケース１２に収納され状態の右側アーム部材１８Ａのハンガー脚部２０Ａと接触することにより、右側アーム部材１８Ａが巻きばね４０からの付勢力により第１の軸部材３０の軸線回り（図２中矢印Ｘ方向）に回動することを阻止している。一方、収納ケース１２の左側内側面１２Ｙには、左側アーム部材１８Ｂのハンガー脚部２０Ｂに接触する左側回転阻止部材４２Ｂが取り付けられている。この左側回転阻止部材４２Ｂが収納ケース１２に収納された状態の左側アーム部材１８Ｂのハンガー脚部２０Ｂと接触することにより、左側アーム部材１８Ｂが巻きばね４０からの付勢力により第１の軸部材３０の軸線回り（図２中矢印Ｙ方向）に回動することを阻止している。
【００５０】
なお、図３に示すように、上述したスリット１６のスリット幅Ｈは、ハンガー脚部２０Ａ、２０Ｂの直径よりも若干大きくなるように設定されており、接触部２４Ａ、２４Ｂの厚みよりも小さくなるように設定されている。
【００５１】
図１に示すように、上記ハンガー１０は、椅子５０の背もたれ５２の裏面に取り付けられている。かかるハンガー１０の取り付けは収納ケース１２に取り付けられた取付片（図示省略）が背もたれ５２にネジなどの固着具（図示省略）により取り付けられることが好ましい。
一方、椅子５０の背もたれ５２の裏面にハンガー１０を取り付けるのではなく、ハンガー１０を背もたれ５２に内蔵させてもよい。このとき、ハンガー１０の使用時に各アーム部材１８Ａ、１８Ｂが背もたれ５２の外部に突出するようにハンガー１０を背もたれ５２の内部に配置することにより、各アーム部材１８Ａ、１８Ｂに上着などを掛けることができる。
特に、ハンガー１０を背もたれ５２に内蔵させることにより、各アーム部材１８Ａ、１８Ｂの収納時（ハンガー１０の不使用時）において、ハンガー１０が隠れるため人の視野に入らず、意匠的に優れたものとすることができる。
【００５２】
次に、本実施形態に係る衣服用ハンガー１０及びこれを備えた椅子５０の作用について詳細に説明する。
【００５３】
図２及び図３に示すように、先ず、ハンガー１０に上着などを掛けないハンガー不使用状態では、第１の軸部材３０が長孔１４の下方側端部１４Ｄ上に位置している。このとき、右側アーム部材１８Ａ及び左側アーム部材１８Ｂは収納ケース１２に収納されており、各接触部２４Ａ、２４Ｂだけが収納ケース１２の外部に位置している状態となっている。右側アーム部材１８Ａ及び左側アーム部材１８Ｂが収納ケース１２に収納されている状態では、右側アーム部材１８Ａと左側アーム部材１８Ｂには巻きばね４０により付勢されているが、各ハンガー脚部２０Ａ、２０Ｂが右側回転阻止部材４２Ａ及び左側回転阻止部材４２Ｂと接触しているため、右側アーム部材１８Ａと左側アーム部材１８Ｂとが第１の軸部材３０の軸線回りを回動することがない。このように、ハンガー１０の不使用状態では、各アーム部材１８Ａ、１８Ｂが収納ケース１２に収納されるため、ハンガー１０を椅子５０の背もたれ５２に取り付けた場合でも、外観上直ぐにハンガーと気づくことはなく、意匠上問題となることはない。さらに、各アーム部材１８Ａ、１８Ｂが収納ケース１２に収納されているため、人が椅子５０に座っても各アーム部材１８Ａ、１８Ｂが人に接触することはない。この結果、人が椅子５０に座ったときの快適性を損なうことがなく、さらにハンガー１０を取り付けたことにより椅子５０の機能を害することがない。
【００５４】
一方、図２及び図４に示すような、ハンガー１０を使用状態にするには、第１の軸部材３０の一方の端部に取り付けられた取手部材３２を上方（図２及び図４中矢印Ｕ方向）へ移動させる。このとき、取手部材３２と共に第１の軸部材３０が長孔１４に沿って上方へ移動していく。第１の軸部材３０が上方へ移動していくと、各ハンガー脚部２０Ａ、２０Ｂがスリット１６を通って収納ケース１２の外部に出て行くことになる。第１の軸部材３０が長孔１４の上方側端部１４Ｕに位置したときに、取手部材３２の移動に連動して各アーム部材１８Ａ、１８Ｂが左右に開き、各アーム部材１８Ａ、１８Ｂは巻きばね４０の付勢力により左右に最も開いた状態となる。各アーム部材１８Ａ、１８Ｂが第１の軸部材３０の軸線回りに回動し相互に開いた状態では、各ハンガー脚部２０Ａ、２０Ｂがスリット１６のスリット端部１６Ａ、１６Ｂにより下方から支持される。そして、各アーム部材１８Ａ、１８Ｂを構成する各接触部２４Ａ、２４Ｂに上着Ｂ（図１参照）が掛けられる。このとき、各接触部２４Ａ、２４Ｂが下方から上着Ｂの肩部分を支持することになるが、各接触部２４Ａ、２４Ｂの上着Ｂとの接触面の面積が大きいため、上着Ｂが皺になることを極力防止することができる。
【００５５】
以上のように、ハンガー１０の使用時には、第１の軸部材３０を長孔１４に沿って上方に移動させるだけで、各アーム部材１８Ａ、１８Ｂが収納ケース１２の内部から飛び出して巻きばね４０の付勢力により相互に開くため、いわゆるワンタッチで容易にハンガー１０の使用状態にすることができる。
また、第１の軸部材３０が長孔１４の上方側端部１４Ｕに位置したときに、各アーム部材１８Ａ、１８Ｂが相互に開き、各接触部２４Ａ、２４Ｂに上着などが掛けられる。各接触部２４Ａ、２４Ｂに上着Ｂなどが掛けられると、その上着Ｂなどの重みで各アーム部材１８Ａ、１８Ｂは、さらに開く方向に第１の軸部材３０の軸線回りを回動しようとし、これにより、スリット端部１６Ａ、１６Ｂがてこになり、てこの原理により第１の軸部材３０にこの第１の軸部材３０を上方に持ち上げようとする力が作用する。この結果、第１の軸部材３０は長孔１４の上方側端部１４Ｕに強い力で押し付けられるため、第１の軸部材３０を固定することができ、各アーム部材１８Ａ、１８Ｂが収納ケース１２の内部にずり落ちることを防止できる。かかる効果は、各接触部２４Ａ、２４Ｂに掛けられる上着Ｂ（例えば、革製のジャンパーやハーフコートなど）が重ければ重いほど大きな効果となる。
【００５６】
ハンガー１０の使用後、各アーム部材１８Ａ、１８Ｂを収納ケース１２に収納するときには、各アーム部材１８Ａ、１８Ｂに掛けられた上着Ｂを取り去り、取手部材３２を長孔１４に沿って下方向（図２及び図３中矢印Ｄ方向）に押し下げればよい。取手部材３２を下方向に押し下げることにより、第１の軸部材３０が下方向に移動する。このとき、各アーム部材１８Ａ、１８Ｂがスリット１６のスリット端部１６Ａ、１６Ｂ上をずり落ち第１の軸部材３０の下方向への移動とともに各アーム部材１８Ａ、１８Ｂが徐々に閉じられていき、かつ右側回転阻止部材４２Ａ及び左側回転阻止部材４２Ｂとの接触によっても各アーム部材１８Ａ、１８Ｂが巻きばね４０の付勢力に抗して閉じられながら収納ケース１２に収納されていく。このように、各アーム部材１８Ａ、１８Ｂの収納ケース１２への収納作業も第１の軸部材３０を下方に押し下げるだけで、ワンタッチで容易に行うことができる。
なお、各アーム部材１８Ａ、１８Ｂを構成する各ハンガー脚部２０Ａ、２０Ｂはその中央部が互いに外側（アーム部材１８Ａは図２中矢印Ａ方向側、アーム部材１８Ａは図２中矢印Ｂ方向側）を向くように湾曲して形成されているため、比較的重量の大きな衣服を各アーム部材１８Ａ、１８Ｂに掛けた場合でも各アーム部材１８Ａ、１８Ｂの変形の程度が目立ちにくい。また、各アーム部材１８Ａ、１８Ｂを湾曲させることにより、各アーム部材自体の強度を向上させることができる。
【００５７】
なお、以上において本実施形態のハンガー１０について説明したが、これに限られることはなく、以下のようなに変形例でもよい。
【００５８】
本実施形態では、第１の軸部材３０が長孔１４を移動するとともに第１の軸部材３０に各アーム部材１８Ａ、１８Ｂが回動可能となるように取り付けられていたが、各アーム部材１８Ａ、１８Ｂが取り付けられる軸部材を第１の軸部材３０とは別に設けてもよい。例えば、別の軸部材（第２軸部材）を第１の軸部材３０と略平行に配置させ、第１の軸部材３０の移動と共に移動するように構成することにより、各アーム部材１８Ａ、１８Ｂを収納ケース１２の外部に飛び出させて開くことができる。
【００５９】
また、例えば、長孔１４の上方側端部１４Ｕと下方側端部１４Ｄとの間に第１の軸部材３０が退避できる切込み（図示省略）を複数形成し、取手部材３２を長孔１４の下方から上方へ移動させる途中に取手部材３２が係止できるような構成にすれば、各アーム部材１８の左右の開き具合を何段階かに選択することができ、各アーム部材１８に掛けられる衣服の大きさや種類に対応させることができる。これにより、ハンガーとしての機能を向上させることができる。
【００６０】
また、各アーム部材１８Ａ、１８Ｂの各ハンガー脚部２０Ａ、２０Ｂを下方から支持するスリット１６の両端部１６Ａ、１６Ｂにゴム（図示省略）を取り付け、ゴム（図示省略）を介して各ハンガー脚部２０Ａ、２０Ｂを支持することにより、各ハンガー脚部２０Ａ、２０Ｂやスリット端部１６Ａ、１６Ｂに傷が付くことを防止することができるとともに、各ハンガー脚部２０Ａ、２０Ｂとゴム（図示省略）との間に発生する摩擦力が大きくなるため、各アーム部材１８Ａ、１８Ｂがスリット端部１６Ａ、１６Ｂからズリ落ち、各アーム部材１８Ａ、１８Ｂが収納ケース１２の内部に入ってしまうことを防止することができる。
また、各アーム部材１８Ａ、１８Ｂを構成する各接触部２４Ａ、２４Ｂの被服との接触面にゴム（図示省略）を取り付け、ゴム（図示省略）を介して被服を下方から支持することにより、被服とゴム（図示省略）との間に発生する摩擦力が大きくなるため、被服が接触部２４Ａ、２４Ｂからズリ落ちてしまうことがない。
【００６１】
また、図５及び図６に示すように、収納ケース１２の上方側端面６２には、スリット１６を略塞ぐように可撓性のゴム部材６０を取り付け、収納ケース１２の内部へのゴミや埃の進入を防止することが好ましい。収納ケース１２の内部へのゴミや埃の進入を防止することにより、ハンガー１２を清潔に維持することができるとともに、各アーム部材１８Ａ、１８Ｂの動作に悪影響を与えることを防止できる。
なお、このゴム部材６０は、スリット１６を略塞ぐように取り付けられているが、各アーム部材１８Ａ、１８Ｂは、ゴム部材６０を押し広げながら、第１の軸部材３０の軸線回りを回動する。このため、ゴム部材６０が各アーム部材１８Ａ、１８Ｂの回動時に邪魔になることはない。
【００６２】
また、上記実施形態のハンガー１０では、収納ケース１２の上方側端面６２にスリット１６が形成されている場合を説明したが、これに限られるものではなく、収納ケース１２の一方の端部を開口部（図示省略）としてこの開口部から外部に各アーム部材１８Ａ、１８Ｂを突出させるように構成してもよい。かかる場合、各アーム部材１８Ａ、１８Ｂは、収納ケース１２の開口縁で下方から支持される構成になる。
【００６３】
なお、本実施形態のハンガー１０では、収納ケース１２を樹脂で構成しているため、軽量化を実現することができるとともに、強度が必要な各アーム部材１８Ａ、１８ＢにはＣＦＲＰ（炭素繊維強化プラスチック）など比較的強度の高い材質で構成することにより軽量化と強度とを両立さることができる。
【００６４】
【発明の効果】
以上説明した本発明のハンガー及び椅子においては以下の効果を奏する。
請求項１記載の発明は、軸部材が上方向に移動したときに開閉手段により一対のアーム部材がそれぞれ軸部材の軸線回りを回動して相互に開く。この相互に開いた各アーム部材に衣服が掛けられることによりハンガーとして機能する。一方、軸部材が下方向に移動したときに開閉手段により各アーム部材がそれぞれ軸部材の軸線回りを回動して相互に閉じられる。これにより、アーム部材が収納される。
以上のように、本発明によれば、軸部材の上下移動という１つの操作によりハンガーの使用状態及び収納状態を実現することができる。また、上下方向に移動する軸部材に直接アーム部材を設けることにより、部品点数を低減でき、製造コストも低減するこができる。
【００６５】
請求項２記載の発明は、第１軸部材が上方向に移動したときに開閉手段により一対のアーム部材がそれぞれ第２軸部材の軸線回りを回動して相互に開く。この相互に開いた各アーム部材に衣服が掛けられることによりハンガーとして機能する。一方、第１軸部材が下方向に移動したときに開閉手段により各アーム部材がそれぞれ第２軸部材の軸線回りを回動して相互に閉じられる。これにより、アーム部材が収納される。
以上のように、本発明によれば、第１軸部材の上下移動という１つの操作によりハンガーの使用状態及び収納状態を実現することができる。
【００６６】
請求項３記載の発明は、軸部材又は第１軸部材はガイド手段により上下方向の移動が案内されるため、軸部材又は第１軸部材を確実に移動させることができる。このため、ハンガーとしての機能を確実に実現させることができる。また、ガイド手段により上下方向の移動が案内されることにより、軸部材又は第１軸部材の操作性を向上させることができる。
一方、相互に開いたアーム部材は支持手段によりそれぞれ下方から支持されるため、アーム部材に衣服が掛けられた場合でもその状態を維持することができる。特に、皮製のジャンパーやコートなどの比較的重い衣服を掛けた場合でもアーム部材により確実に衣服を支持することができる。
【００６７】
請求項４記載の発明は、ハンガーは椅子の背もたれに取り付けられるものであり、ガイド手段はその取付部材に形成された上下方向に延びる長孔とすることにより低コストでガイド手段を設けることができる。また、長孔とすることによりハンガーが大型化することを防止できる。
【００６８】
請求項５記載の発明は、軸部材又は第１軸部材は、上方に位置したときに長孔の上方側にある上方側端部と接触し、下方に位置したときに長孔の下方側にある下方側端部と接触するようにしたことにより、軸部材又は第１軸部材の移動範囲を規制することができる。
【００６９】
請求項６記載の発明は、軸部材又は第１軸部材は、上方に位置したときに長孔の上方側にある上方側端部と接触する。このとき、開いたアーム部材はそれぞれ支持手段により下方から支持されており、かつ軸部材又は第１軸部材が長孔の上方側端部と接触している状態となる。この状態がハンガーの使用状態となりアーム部材に衣服が掛けられる。
ここで、アーム部材に衣服が掛けられると、被服の重量によりアーム部材がさらに開こうとするが、このとき支持手段がてこになり、てこの原理により軸部材又は第１軸部材にはアーム部材から押圧力が作用し、軸部材又は第１軸部材は長孔の上方側に押し付けられる。この結果、軸部材又は第１軸部材を確実に固定できるため、アーム部材により衣服を確実に支持することができる。
特に、皮製のジャンパーやコートなどの比較的重量の大きい衣服をアーム部材に掛けた場合には、アーム部材により支持がさらに強固となる。
【００７０】
請求項７記載の発明は、取付部材を箱状の収納部材とすることにより、軸部材又は第１軸部材が下方向へ移動したときにアーム部材が収納される。これにより、ハンガーの収納状態においてはアーム部材が外部から見えることがなく、ハンガーの不使用時にアーム部材が外部に露出している場合と比較して意匠性を向上させることができる。また、ハンガーの不使用時においてアーム部材を収納部材に収納させることにより、アーム部材が椅子の機能や快適性を損なう原因となることもない。
一方、ハンガー使用時において、軸部材又は第１軸部材を上方向に移動させると、アーム部材が収納部材の上方側に設けられた開口部から外部に突出することにより、アーム部材を軸部材又は第２軸部材の軸線回りに回動させることができるため、ハンガーとして機能させることができる。
以上のように、本発明のハンガーによれば、軸部材又は第１軸部材の上下移動により容易にハンガーの使用状態と収納状態とを切り替えることができる。
【００７１】
請求項８記載の発明は、支持手段を収納部材の開口部の開口縁とすることにより、別途部材を設ける必要がなく、製造コストも低減することができる。
【００７２】
請求項９記載の発明は、アーム部材が付勢手段の付勢力により軸部材又は第２軸部材の軸線回りに回動させられ相互に開く。一方、軸部材又は第１軸部材の下方向への移動に伴い閉止手段によりアーム部材が相互に閉じられる。本発明では、開閉手段を、付勢手段と閉止手段という簡易な構成により、アーム部材を容易に開閉させることができる。
【００７３】
請求項１０記載の発明は、各アーム部材はそれぞれ湾曲しているため、比較的重量の大きな衣服をアーム部材に掛けた場合でもアーム部材の変形の程度が目立ちにくい。また、各アーム部材を湾曲させることにより、アーム部材自体の強度を向上させることができる。
【００７４】
請求項１１記載の発明は、各アーム部材の先端には接触部が設けられているため、衣服との接触面を大きくすることができる。これにより、アーム部材に衣服を長時間掛けても衣服に皺が付いてしまうことを防止できる。
【００７５】
請求項１２記載の発明は、支持部材のアーム部材との接触部位にはゴムが取り付けられているため、ゴムとアーム部材と間に発生する摩擦力を大きくすることができ、比較的軽い衣服をアーム部材に掛ける場合でもアーム部材が支持手段から滑り落ちることを防止できる。また、アーム部材がゴムを介して支持手段に支持されているため、アーム部材の表面に傷が付くことを防止できる。
一方、接触部の衣服との接触部位にはゴムが取り付けられているため、ゴムと衣服との間に発生する摩擦力が大きくなり、アーム部材に掛けた衣服が接触部からずれ落ちることがない。
【００７６】
請求項１３記載の発明は、収納部材には異物進入防止部材が設けられているため、開口部から収納部材の内部への異物（ゴミや埃）の進入を防止することができる。これにより、収納部材の内部が汚れることを極力防止することができ、清潔性を保つことができる。
【００７７】
請求項１４記載の発明は、軸部材又は第１軸部材には取手部が取り付けられているため、この取手部をつかむことにより軸部材又は第１軸部材を上下に移動させ易くすることができる。
【００７８】
請求項１５記載の発明は、取付部材を樹脂で構成することにより、ハンガーを軽量とすることができる。軽量化したハンガーを椅子の背もたれに取り付けることにより、椅子の機能やその椅子に座ったときの快適性の低下を防止することができる。
【００７９】
請求項１６記載の発明は、付勢手段を既存の部品であるコイルばねとすることにより、低コストでハンガーを製造することができるとともに、開閉機構を簡易にすることができるため組立工数を低減することができる。
【００８０】
請求項１７記載の発明は、請求項１乃至１６のいずれか１項に記載のハンガーを背もたれに取り付けることにより、軸部材又は第１軸部材を上下方向に移動するだけでワンタッチで容易にアーム部材を使用状態又は収納状態に切り替えることができ、着座者が上着等をかけたいと思ったときに直ぐにハンガーを使用することができる。
【図面の簡単な説明】
【図１】本発明の一実施形態に係るハンガーを取り付けた椅子の斜視図である。
【図２】本発明の一実施形態に係るハンガーの作用図である。
【図３】本発明の一実施形態に係るハンガーの不使用状態を示した断面図である。
【図４】本発明の一実施形態に係るハンガーの使用状態を示した断面図である。
【図５】本発明の一実施形態に係るハンガーとは別形態のハンガーの不使用状態を示した断面図である。
【図６】本発明の一実施形態に係るハンガーとは別形態のハンガーの使用状態を示した断面図である。
【図７】従来のハンガーを備えた椅子の斜視図である。
【符号の説明】
１０  ハンガー
１２  収納ケース（収納部材、取付部材）
１４  長孔（ガイド手段）
１４Ｕ  上方側端部
１４Ｄ  下方側端部
１６  スリット（開口部）
１６Ａ  スリット端部（支持手段、開口縁）
１６Ｂ  スリット端部（支持手段、開口縁）
１８  アーム部材
２４Ａ  接触部
２４Ｂ  接触部
３０  第１の軸部材（軸部材、第１軸部材）
３２  取手部材（取手部）
４０  巻きばね（コイルばね、付勢手段）
４２Ａ  右側回転阻止部材（閉止手段）
４２Ｂ  左側回転阻止部材（閉止手段）
５０  椅子
５２  背もたれ
６０  ゴム部材（異物進入防止部材）
６２  上方側端面
【図１】
2004329346.tif 000003
【図２】
2004329346.tif 000004
【図３】
2004329346.tif 000005
【図４】
2004329346.tif 000006
【図５】
2004329346.tif 000007
【図６】
2004329346.tif 000008
【図７】
2004329346.tif 000009